(57)【要約】【課題】地震力（水平荷重）を負担する耐震開口フレームと鉛直荷重を負担する軽量形鋼を組み合わせたハイブリッドフレームに対し水平構面の床剛性を高められる構造を付加する。【解決手段】一対の縦部材（４１）と一対の縦部材（４１）の上端間に横架された横部材とを少なくとも有する耐震開口フレーム（４）における横部材（４０）と、横部材（４０）の上方に同じ全長をもって配置された上弦材（３）と、横部材（４０）及び上弦材（３）の双方の少なくとも全長に亘って延在しかつ双方の両側面に留め具により緊結された一対の軽量形鋼（２）と、を具備するハイブリッドフレーム（１）と、ハイブリッドフレーム（１）の上面に、一体となるべく留め具により張り付けられた床材（８）としての合板又はＣＬＴ板等と、を有するハイブリッドフレームと合板又はＣＬＴ板等の組合せ構造である。【選択図】図２
2016204864.tif 000002
【特許請求の範囲】
【請求項１】
一対の縦部材（４１）と前記一対の縦部材（４１）の上端間に横架された横部材（４０）とを少なくとも有する耐震開口フレーム（４）における前記横部材（４０）と、
前記横部材（４０）の上方に同じ全長をもって配置された上弦材（３）と、
前記横部材（４０）及び前記上弦材（３）の双方の少なくとも全長に亘って延在しかつ双方の両側面に留め具により緊結された一対の軽量形鋼（２）と、を具備するハイブリッドフレーム（１）と、
前記ハイブリッドフレーム（１）の上面に留め具により張り付けられた床材としての合板又はＣＬＴ板等（８）と、を有する
ハイブリッドフレームと合板又はＣＬＴ板等の組合せ構造。
【請求項２】
壁材としての合板又はＣＬＴ板等（８’）をさらに有する
請求項１に記載の、ハイブリッドフレームと合板又はＣＬＴ板等の組合せ構造。
【請求項３】
前記耐震開口フレーム（４）における前記横部材（４０）の上方に前記上弦材（３）が隙間なく配置されている、請求項１又は２に記載の、ハイブリッドフレームと合板又はＣＬＴ板等の組合せ構造。
【請求項４】
前記耐震開口フレーム（４）における前記横部材（４０）の上方に前記上弦材（３）が所定の隙間を介在させて配置されており、前記隙間に長さ方向に所定の間隔にて木束（５）が配置され、前記一対の軽量形鋼（２）は前記木束（５）の両側面に対しても留め具により緊結される、請求項１又は２に記載の、ハイブリッドフレームと合板又はＣＬＴ板等の組合せ構造。
【請求項５】
前記留め具がボルトとスプリングワッシャーとナットである、請求項１〜４のいずれかに記載の、ハイブリッドフレームと合板又はＣＬＴ板等の組合せ構造。
【請求項６】
前記留め具が木ビス又はラグスクリューボルトである、請求項１〜４のいずれかに記載の、ハイブリッドフレームと合板又はＣＬＴ板等の組合せ構造。
【発明の詳細な説明】
【技術分野】
【０００１】
本発明は、木造建築物の躯体構造に関し、とくに、開口部の耐震化及び大空間を実現するため耐震開口フレームと軽量形鋼からなるハイブリッドフレームを構成し、さらに床用の合板(構造用・厚手)又はＣＬＴ板（Cross Laminated Timber）やＬＶＢ板(Laminated Veneer Board)などを組合わせた構造に関する。
【背景技術】
【０００２】
今、木造建築物は地球規模で環境保全の一翼としてCO２の固定化に向け注目されている。そのため、専門家らの技術開発が試みられ、木質部材の工業化からシステム構築に至るアイテムは多様で、建築市場性は活性化している。そんな中、木造建築物のあり方として中スパンによる大空間のニーズが注目され、産・学・官による研究・開発や実践に向けた環境都市の期待が高まっている。そこで、安定した性能木材である集成材やＬＶＬといったエンジニアリングウッドによる構造システムも、ようやく生産・供給も可能となってきたた。しかし、それらの利用は、大スパン・空間構成のため一定の大きさを超えた大断面（120×450以上）を余儀なくされるため必然的に高コストが課題となっている。
【０００３】
図１６及び図１７に示すように、木造建築物における従来の一般的な大スパン技術は、木造軸組構造体に軽量形鋼の一種である軽みぞ形鋼を二枚合わせで用いるものである。図１６に示すように一定間隔で配置した木束５を両側面から二枚の軽みぞ形鋼２により挟み、ボルトとナットで緊結した梁である。図１６、図１７に示す梁は、「木造軽量梁」と通称され、鉛直方向の荷重に対する梁とされている。
【０００４】
特許文献１の木材からなる心材の両側面に断面コ字薄板軽量形鋼を用いて床支持部材及び床支持構造が開示されている。
【０００５】
また、特許文献２には、地震力（水平力）に対して抵抗する構造躯体に組込んで用いる門型及び箱型の耐震用フレームが開示されている。これらは構造躯体の開口部となる部位で、筋かい、構造用合板、鉄筋バットレスなどと同様に地震力などの水平力に有効な耐力壁効果をもたらす。
【０００６】
さらに、特許文献３には、木質部材と引張りボルト、繊維シート、柱脚金物などから成る門型の開口フレームが開示されている。
【０００７】
特許文献４には、木造建築物において耐震開口フレームと軽量形鋼とを融合させたハイブリッドフレームが開示されている。ここで「ハイブリッドフレーム」とは、木と鉄の異質素材を融合させたことを意味する。また、「合成梁」とは、複数の部材を一体化して構成した梁を意味する。特許文献４の「合わせ梁」は合成梁と同じ意味である。
【先行技術文献】
【特許文献】
【０００８】
【特許文献１】特開２００５−１５５０２７号公報
【特許文献２】特開平９−１１９１７０号公報
【特許文献３】特開２００６−４６０５５号公報
【特許文献４】登録実用新案第３１８９３９２号公報
【発明の概要】
【発明が解決しようとする課題】
【０００９】
しかしながら、従来、大断面の構造材は、施工性や材料供給市場などの点で問題も多い。つまり、単に大スパン化に対応する断面性能を上げるだけの大断面集成梁や大断面コ字薄板軽量形鋼を用いた場合、コストアップや施工の手間の増加につながる。また、大断面の潜在的悩みである自重増による曲げモーメント及びたわみが増大する等により、特注品での対応となるが、そのことが材料供給の不安定や数倍の単価アップを招くという矛盾が障壁となっている。
【００１０】
さらに、従来の木造建築物の床組では、水平構面の床剛性がなく、火打ち梁や丸鋼などによる水平ブレスを取り付ける必要があり、作業性が悪い。  
【００１１】
また、特許文献１の合成梁では、軽量形鋼は梁部材の両端部の柱以外の部分にのみ固定されており、床支持部材としての梁部材の曲げ剛性を高める効果しか得られない。軽量形鋼のみの合成梁では耐力壁不足及び水平構面の床剛性不足を十分に補うことはできず、建物全体の変形を防ぐことができない。
【００１２】
また、特許文献２、３を利用して、大開口、大スパン、大空間の木造構造躯体を強化した特許文献４は、耐力壁不足を補強するには有効であるが、水平構面の床剛性不足についてはさらに強化が要望されている。
【００１３】
以上の現状に鑑み本発明は、木造建築物の大開口化及び大スパン化に対応するべく、地震力（水平荷重）を負担する耐震開口フレームと鉛直荷重を負担する軽量形鋼を組み合わせたハイブリッドフレームに対し、さらに水平構面の床剛性を高められる合板又はＣＬＴ板等の構造を付加することで小梁及び根太を省略して大幅なコストダウン及び工期短縮を目的とする。
【課題を解決するための手段】
【００１４】
上記目的を達成するべく本発明は、新規の構造材として注目されている合板又はＣＬＴ板等をハイブリッドフレームと組み合わせた構造を提供する。具体的には以下の構成を有する。なお、括弧内の数字は、後述する図面中の符号であり参考のために付するものである。
【００１５】
本発明の態様は、ハイブリッドフレームと合板又はＣＬＴ板等の組合せ構造であって、一対の縦部材（４１）と前記一対の縦部材（４１）の上端間に横架された横部材（４０）とを少なくとも有する耐震開口フレーム（４）における前記横部材（４０）と、
前記横部材（４０）の上方に同じ全長をもって配置された上弦材（３）と、
前記横部材（４０）及び前記上弦材（３）の双方の少なくとも全長に亘って延在しかつ双方の両側面に留め具により緊結された一対の軽量形鋼（２）と、を具備するハイブリッドフレーム（１）と、
前記ハイブリッドフレーム（１）の上面に留め具により張り付けられた床材としての合板又はＣＬＴ板等（８）と、を有する。
【００１６】
上記態様において、壁材としての合板又はＣＬＴ板等（８’）をさらに有してもよい。
【００１７】
上記態様において、前記耐震開口フレーム（４）における前記横部材（４０）の上方に前記上弦材（３）が隙間なく配置されていてもよい。
【００１８】
上記態様において、前記耐震開口フレーム（４）における前記横部材（４０）の上方に前記上弦材（３）が所定の隙間を介在させて配置されており、前記隙間に長さ方向に所定の間隔にて木束（５）が配置され、前記一対の軽量形鋼（２）は前記木束（５）の両側面に対しても留め具により緊結されていてもよい。
【００１９】
上記態様において、前記留め具がボルトとスプリングワッシャーとナットである。
【００２０】
上記態様において、前記留め具が木ビス又はラグスクリューボルトである。
【発明の効果】
【００２１】
本発明では、耐震開口フレームの横部材と上弦材と軽量形鋼とを具備するハイブリッドフレームに、床材としての合板又はＣＬＴ板等、又は、床材及び壁材としての合板若しくはＣＬＴ板等を組み合わせた構造により、ハイブリッドフレームの梁成を小さくできる。鋼材の軽量形鋼は、一般流通品なので安価であり、軽量であるため施工性がよい。特に、信頼性の高い耐震開口フレームとの組み合わせは、合成梁の理論による安全かつ安定的な部材及びその架構システムを実現できる。これにより、大開口、大スパン、大空間へのニーズに対応した住宅、店舗及び事務所などの提供が可能となる。
【００２２】
本発明による、ハイブリッドフレームとＣＬＴの組合せ構造の具体的効果は以下の通りである。
イ．地震力（水平荷重）を負担する耐震開口フレームと、鉛直荷重を負担する軽量形鋼を組み合わせたハイブリッドフレームにより、大開口、大スパン、大空間を設けた場合に不利となる耐力壁不足を補う。同時に、剛性の高い合板又はＣＬＴ板等を床全面に用いることにより、水平構面の床剛性が得られる。この結果、従来の火打ち梁や丸鋼などによる水平ブレス、及び小梁や根太を取り付ける必要が無く、建物全体の変形を防止して耐震性を高められる。
ロ．耐震開口フレームの横部材を下弦材とし、軽量形鋼の梁上部の繋ぎ材に床材の合板又はＣＬＴ板等も含めて広い意味での上弦材とした合成梁と考えることもできる。この結果、軽量でありながら梁材としての曲げ及びたわみに対する抵抗性能が向上する。
ハ．従来から木造の大スパン化に用いられてきた信頼性の高い軽量形鋼と、コーナー部を剛接合として耐震性が評価されている耐震開口フレームの横部材の下弦材と、合板又はＣＬＴ板等も一体に含む広い意味での上弦材とにより、鉛直荷重と水平荷重の両荷重を受け持つ架構システムを構築できる。
ニ．それぞれの部材及びパーツとしての役割を理論付けることができ、特殊かつラーメン的な構造計算を必要とせず、安価で使いやすい架構システムの構築が可能である。
ホ．柱に取り付けるコーナー部や柱脚部の剛性度をさらに高めることにより、鉛直力と水平力を同時に受け持つラーメン化も可能としている。
【図面の簡単な説明】
【００２３】
【図１】図１は、本発明の概要を説明するために各構成要素を一部切り欠いて示した木造建築物の軸組斜視図である。
【図２】図２は、図１に概略的に示した木造建築物の構造躯体の一実施例の主要部のみを示した概略斜視図である。
【図３】図３は、図１に概略的に示した木造建築物の構造躯体の別の実施例の主要部のみを示した概略斜視図である。
【図４】図４は、図１に概略的に示した木造建築物の構造躯体の別の実施例の主要部のみを示した概略斜視図である。
【図５】図５は、図１に概略的に示した木造建築物の構造躯体の別の実施例の主要部のみを示した概略斜視図である。
【図６】図６は、図１に概略的に示した木造建築物の構造躯体の別の実施例の主要部のみを示した概略斜視図である。
【図７】図７は、図４の実施例を用いて、ハイブリッドフレーム及び合板又はＣＬＴ板等の概略断面を示した図である。
【図８】図８は、図４の実施例を用いて、ハイブリッドフレーム及び合板又はＣＬＴ板等の概略断面を示した図である。
【図９】図９は、図４の実施例を用いて、ハイブリッドフレーム及び合板又はＣＬＴ板等の概略断面を示した図である。
【図１０】図１０は、耐震開口フレーム４のフレームコーナー端部及び柱頭接合部の繊維シートなどによる剛接合化部分を示す図面である。
【図１１】図１１は、本発明を、１階建ての店舗軸組の小屋梁に適用した例を概略的に示す図である。
【図１２】図１２は、本発明を、２階建ての住宅軸組の１階部分の大スパン化に適用した例を概略的に示す図である。
【図１３】図１３は、図２に示したハイブリッドフレームの実施例の変形例を示しており（ａ）は断面図、（ｂ）は一端側の正面図である。（ｃ）は、ＣＬＴ８を床材として用いる場合の従来の合成梁の例である。
【図１４】（ａ）（ｂ）は、それぞれＣＬＴ及び構造用合板を床材として用いる場合の取り付け方法を示した図である。
【図１５】図１５（ａ）（ｂ）（ｃ）は、本発明のハイブリッドフレーム（合板又はＣＬＴ板等は図示を省略）における耐震開口フレームの横部材と、上弦材と、軽量形鋼の配置例を示したものである。
【図１６】図１６は、 従来の軽量形鋼梁の実施例斜視図である。
【図１７】図１７は、従来の軽量形鋼梁の実施例写真である。
【発明を実施するための形態】
【００２４】
以下、本発明の実施例を示した図面を参照して本発明の実施形態を説明する。各図面において、共通の構成要素には同じ符号を付し、繰り返しの説明を省略する場合がある。
【００２５】
図１は、本発明の概要を説明するために各構成要素を一部切り欠いて概略的に示した木造建築物の軸組斜視図である。
【００２６】
図１の木造建築物では、複数の門型の耐震開口フレーム４が一列に、建物内部の大空間の両側の柱１１の内側にそれぞれ取り付けられている。柱１１は、構造躯体の一部である。耐震開口フレーム４は、一対の縦部材４１とそれらの上端間に横架された横部材４０とを有する。縦部材４１と横部材４０は剛接合されている。縦部材４１は、所定間隔にてラグスクリューボルト４Ａにより柱１１に緊結されている。また、縦部材４１は、柱脚金物４Ｂにより基礎に緊結されている。
【００２７】
耐震開口フレームは門型タイプと箱型タイプがあり、本発明はいずれを選択しても可能である。
【００２８】
本発明の、ハイブリッドフレームと合板又はＣＬＴ板等の組合せ構造は、ハイブリッドフレーム１と、その上面に一体化された床材としての合板又はＣＬＴ板等８とを有する。ここで、「合板又はＣＬＴ板等」とは、床用の合板(構造用合板及び厚手合板を含む)、又は、ＣＬＴ板（Cross Laminated Timber）若しくはＬＶＢ板(Laminated Veneer Board)などの板材を意味する。また、ＣＬＴとは、Cross Laminated Timberの略称で、挽き板の各層を繊維方向が互いに直交するように積層接着した大型のパネルを示す用語である。
【００２９】
先ず、ハイブリッドフレーム１について説明する。ハイブリッドフレーム１は、耐震開口フレーム４の横部材４０と、横部材４０の上方に配置された上弦材３と、横部材４０及び上弦材３の双方の両側面に留め具によりそれぞれ緊結された一対の軽量形鋼２とを具備する。上弦材３は横部材４０と同じ全長である。また、軽量形鋼２は、横部材４０及び上弦材３の双方の全長に亘って延在し、さらに軽量形鋼２の両端部は柱１１の側面まで延在している。さらに、耐震開口フレーム４及び上弦材３においては、全長を３分割や２分割して全長に亘って延在させることも可能である。
【００３０】
図示の例では、横部材４０と上弦材３の間に隙間があり、所定の間隔で木束５が配置されている。別の例では、横部材４０の上に隙間無く上弦材３が配置される場合もある。
【００３１】
軽量形鋼２は、ボルトとスプリングワッシャーとナットである留め具２Ａにより、横部材４０、上弦材３、木束５、柱１１に緊結されている。これによりハイブリッドフレーム１が一体化されている。図１を含め、以下に示す実施例の軽量形鋼２は軽みぞ形鋼であるが、別の例としてリップみぞ形鋼でもよい。
【００３２】
ハイブリッドフレーム１により、大開口、大スパン、大空間を設けた場合に不利となる耐力壁不足を補い、建物全体の変形を防止して耐震性を高めている。
【００３３】
本発明では、ハイブリッドフレーム１の上面に床材として合板又はＣＬＴ板等８が張り付けられている。合板又はＣＬＴ板等８は、ハイブリッドフレーム１と一体となるべく適宜の留め具により緊結されている。この場合、ハイブリッドフレーム１と合板又はＣＬＴ板等８とが一体化することにより、上弦材３にＣＬＴを含めた構造材が広い意味での上弦材として機能する。床材としての合板又はＣＬＴ板等８は、水平構面の床剛性不足を補い、床剛性が強化される。
【００３４】
本発明では、合板又はＣＬＴ板等８がハイブリッドフレーム１と一体化されるので、従来、合板又はＣＬＴ板等を設置する際に必要であったかなりの個数の金具が不要となるという利点がある。この金具は、例えば、合板又はＣＬＴ板等同士を垂直に接続する際の断面Ｌ型の金具や、合板又はＣＬＴ板等を床材として並べて敷設する際に隣り合う合板又はＣＬＴ板等を連結する平板状の金具であり、多くの個数と取付け手間を要していた。
【００３５】
図２〜図６は、図１に概略的に示した木造建築物の構造躯体のいくつかの実施例の主要部のみを示した概略斜視図である。
【００３６】
図２の実施例では、耐震開口フレーム４の横部材４０と上弦材３が隙間なく配置されている。それらの両側面に軽量形鋼２を当接させ、所定の間隔にボルトとスプリングワッシャーとナット２Ａにより緊結している。これにより、ハイブリッドフレーム１全体としてのモーメント抵抗を大きくすることができる。また、図示の例では、ハイブリッドフレーム１の両端部の柱１１に取り付ける部分（軽量形鋼２の両端部）をボルトとスプリングワッシャーとナット２Ａによる緊結としている。別の例として、これらを木ビスやジベルなどを用いたモーメント抵抗接合とした場合、ハイブリッドフレーム１によるラーメン化も可能となる。
【００３７】
本発明では、床材としての合板又はＣＬＴ板等８が、ハイブリッドフレーム１の上面に適宜の留め具（図示せず）により張り付けられている。合板又はＣＬＴ板等８の端部は、柱１１を囲むように延在している。合板又はＣＬＴ板等８は、建物の床全面に張り付けられることが好適である。合板又はＣＬＴ板等８がハイブリッドフレーム１と一体化することにより、水平構面の床剛性が補強される。上弦材３の上面に当接している合板又はＣＬＴ板等８の部分は、上弦材３と一体化することにより、広い意味での上弦材として機能する。
【００３８】
図３の実施例では、耐震開口フレーム４の横部材４０と上弦材３が隙間なく配置されている。それらの両側面に軽量形鋼２を当接させ、所定の間隔に木ビス又はラグスクリューボルト２Ｂにより緊結している。床材としての合板又はＣＬＴ板等８は、図２と同様に張り付けられている。
【００３９】
図４の実施例では、耐震開口フレーム４の横部材４０と上弦材３との間に所定の隙間を設けられている。この隙間に、所定間隔に木束５を設けている。この構成により、ハイブリッドフレーム１において応力の小さい、梁スパンの１／４以内に配管や換気ダクトなどのためのスリーブ孔２Ｃを設けることができる。
【００４０】
図５の実施例では、図２の実施例にさらに、壁材としての合板又はＣＬＴ板等８’を付加している。壁材としての合板又はＣＬＴ板等８’は、床材としての合板又はＣＬＴ板等８の上面に載置されるように隣り合う柱１１の間に取り付けられている。この場合、合板又はＣＬＴ板等８は真壁を形成することになる。
【００４１】
図６の実施例は、壁材としての合板又はＣＬＴ板等８’を付加する場合の別の例である。壁材としての合板又はＣＬＴ板等８’は、床材としての合板又はＣＬＴ板等８の側面に当接するように柱１１の外面に取り付けられている。この場合、合板又はＣＬＴ板等８’は大壁を形成することになる。
【００４２】
図７〜図９は、図４の実施例を用いて、ハイブリッドフレーム１及び合板又はＣＬＴ板等８の概略断面を示した図である。これらの図面により、本発明の、ハイブリッドフレームと合板又はＣＬＴ板等の組合せ構造の構造力学性能を説明する。
【００４３】
図７は、本発明のハイブリッドフレーム１及び合板又はＣＬＴ板等８の概略断面を示している。合板又はＣＬＴ板等８は、留め具８Ａにより軽量形鋼２と一体化されるように固定される。
【００４４】
鉛直荷重による長期モーメントＭｏを単純梁モーメントとしている。上弦材３と、耐震開口フレーム４の横部材４０の軽量形鋼２底部ライン（点線）より上部の部分４０’と、軽量形鋼２との組合せによるハイブリッドフレーム１としている。耐震開口フレーム４の横部材上部４０’部分を安全率を持った下弦材として適用断面性能での合成を可能としている。
【００４５】
図８は、鉛直荷重による長期単純たわみ量δｍａｘが、上弦材３と、軽量形鋼２と、耐震開口フレーム４の横部材４０の合成全断面性能で対応可能となることを示している。このことは、梁に生じるたわみ量は長期のみの荷重で評価されることを意味する。地震時のたわみ量は、検討外の要求性能と位置づけられる。つまり、構造計算外のことである。そこで、もっぱら地震時の水平荷重で計画された耐震開口フレーム４は、鉛直荷重に対抗する能力を除外してきたが、鉛直力に対する抵抗を潜在的に有するので、構造設計上たわみ量のチェックは耐震開口フレーム４の横部材４０の断面を加算する。
【００４６】
図９は、水平荷重における地震時モーメントＭｅを耐震開口フレーム４の横部材４０全体で負担するよう計画する。後述する図１０で示すフレームコーナー端部及び柱頭接合部の繊維シート４Ｃなどによる剛接合化により実施されている。
【００４７】
ハイブリッドフレーム１及び合板又はＣＬＴ板等８を組み合わせた構成により、軽量で梁材としての曲げ及びたわみに対する抵抗性能が向上する。尚、特に図示していないが、２階などの床張りに用いる場合は上弦材３を軽量形鋼２より少し上げて用いる。これにより上弦材３などの乾燥による木痩せによる床鳴り防止やハイブリッドフレーム１の盛り上がりを防止することができる。
【００４８】
図１０は、耐震開口フレーム４のフレームコーナー端部及び柱頭接合部の繊維シート４Ｃなどによる剛接合化部分を示す図面である。
【００４９】
図１１は、本発明を、１階建ての店舗軸組の小屋梁に適用した例を概略的に示す図である。なお、合板又はＣＬＴ板等８は一部のみを示しているが、全面に張り付けられることが好ましい。
【００５０】
図１２は、本発明を、２階建ての住宅軸組の１階部分の大スパン化に適用した例を概略的に示す図である。この場合も、合板又はＣＬＴ板等８は一部のみを示しているが、全面に張り付けられることが好ましい。
【００５１】
図１３は、図２に示したハイブリッドフレーム１の実施例の変形例を示しており（ａ）は断面図、（ｂ）は一端側の正面図である。この変形例では、耐震開口フレームの横部材４０と上弦材３が隙間無く配置されるとともに、横部材４０の下面は、軽量形鋼２の下端よりも下方に突出している。
【００５２】
図１３（ｃ）は、合板又はＣＬＴ板等８を床材として用いる場合の従来の合成梁の例である。従来例では、耐震開口フレームが設けられておらず、下弦材３１のみが設けられている。なおこの例では、上弦材３と下弦材３１の間には隙間が設けられている。
【００５３】
図１４（ａ）はＣＬＴ板８を、（ｂ）は厚手合板８を床材として用いる場合の取り付け方法を示した図である。図１４に示すＣＬＴ板８及び厚手合板８はそれぞれ、合板又はＣＬＴ板等の一例である。（ａ）に示すＣＬＴ板８を取り付ける場合、ＣＬＴ板８をハイブリッドフレームの上面に載置し、特殊ビスである留め具８Ａにより軽量形鋼２に固定する。厚手合板又はＣＬＴ板８は、一枚ずつ取り付ける。（ｂ）に示す厚手合板８は、ＣＬＴ板８よりも薄いが、取り付け方法は同様である。
【００５４】
図１５（ａ）（ｂ）（ｃ）は、本発明のハイブリッドフレーム（合板又はＣＬＴ板等は図示を省略）における耐震開口フレームの横部材４０と、上弦材３と、軽量形鋼２の配置例を示した断面図である。
【００５５】
（ａ）の例では、横部材４０と上弦材３の間に隙間がなく、上弦材３の上面と軽量形鋼２の上面が揃い、横部材４０の下面と軽量形鋼２の下面が揃っている。（ｂ）の例では、横部材４０と上弦材３の間に隙間があり、上弦材３の上面と軽量形鋼２の上面が揃い、横部材４０の下面は軽量形鋼２の下面より突出している。（ｃ）の例では、横部材４０と上弦材３の間に隙間があり、上弦材３の上面が軽量形鋼２の上面より突出し、横部材４０の下面も軽量形鋼２の下面より突出している。
【産業上の利用可能性】
【００５６】
本発明の、ハイブリッドフレームと合板又はＣＬＴ板等の組合せ構造は、それぞれの部材が流通品なので工場製作に適し、加工性や現場による施工性が良い。また、耐震開口フレームなど信頼性の高い部材との組み合わせにより、組み合わせ方法による合成梁の理論による安全・安定的な部材及びそのシステムを大開口・大スパン・大空間を要望する住宅及び店舗・事務所などに広く提供できる。
【００５７】
地震力（水平荷重）を負担する耐震開口フレームと鉛直荷重を負担する軽量形鋼梁を組み合わせることで、大開口・大スパン・大空間を設けた場合不利となる耐力壁不足を補い、建物全体の変形を防止して大空間を可能とする。
【００５８】
耐震開口フレームの横部材を下弦材とし、軽量形鋼梁上部の繋ぎ材（さらに繋ぎ材と合板又はＣＬＴ板等の一部）を上弦材とする合成梁としての構成要素により、軽量で梁材としての曲げやたわみに対する抵抗性能が向上するので施工性がよく、コストダウンが図れる。
【００５９】
従来から木造の大スパン化に用いられてきた信頼性の高い軽量形鋼と、コーナー部を剛接合として耐震性が評価されている耐震開口フレームと、合板又はＣＬＴ板等とにより、新たな機能である鉛直荷重と水平荷重の両荷重を受け持つ架構システムとして安価に構築できる。
【００６０】
それぞれの部材・パーツとしての役割を理論付けることができ、特殊でラーメン的な構造計算を必要とせず、安価で使いやすい架構システムの構築が可能である。
【００６１】
本発明は、柱に取り付けるコーナー部及び柱脚部の剛性度をさらに高めることによりラーメン化構成とすることも可能としている。
【符号の説明】
【００６２】
１  ハイブリッドフレーム
２  軽量形鋼
３  上弦材
４  耐震開口フレーム
４０  横部材
４１  縦部材
５  木束
８  合板又はＣＬＴ板等（床材）
８’合板又はＣＬＴ板等（壁材）
１１  開口部柱
【図２】
2016204864.tif 000003
【図３】
2016204864.tif 000004
【図４】
2016204864.tif 000005
【図５】
2016204864.tif 000006
【図６】
2016204864.tif 000007
【図７】
2016204864.tif 000008
【図８】
2016204864.tif 000009
【図９】
2016204864.tif 000010
【図１３】
2016204864.tif 000011
【図１４】
2016204864.tif 000012
【図１５】
2016204864.tif 000013
【図１】
2016204864.tif 000014
【図１０】
2016204864.tif 000015
【図１１】
2016204864.tif 000016
【図１２】
2016204864.tif 000017
【図１６】
2016204864.tif 000018
【図１７】
2016204864.tif 000019